(57)【要約】【課題】パネルを真空チャック式の吸着パッドに保持して運搬するにあたり、簡素で軽量なパネル落下防止のための手段を提供する。【解決手段】パネル１を吸着保持する吸着パッド２３が非作動の状態において、パネル１の表面に対して生じる摩擦力でパネル１が引っ掛かって落下を防止することを可能とする材質からなるベルト３を、パネルリフター２の本体部２７からパネル１にわたって巻き付ける。【選択図】図３
2018172905.tif 000002
【特許請求の範囲】
【請求項１】
パネルを吸着保持する真空チャック式の吸着パッドと、前記吸着パッドが取り付けられた本体部とを備えたパネル保持手段を用いて、パネルを接地面から浮かして立てた状態に保持するにあたり、
前記吸着パッドが非作動の状態において、前記パネルの表面に対して生じる摩擦力で該パネルが引っ掛かって落下を防止することを可能とする材質からなる帯状のパネル落下防止部材を、前記本体部から前記吸着パッドに吸着保持したパネルにわたって巻き付けることを特徴とするパネルの保持方法。
【請求項２】
前記パネル落下防止部材は、樹脂製の気泡緩衝材を帯状に形成してなるものであることを特徴とする請求項１に記載のパネルの保持方法。
【請求項３】
パネルを吸着保持する真空チャック式の吸着パッドと、前記吸着パッドが取り付けられた本体部と、を備えたパネル保持手段と、
前記パネル保持手段の前記本体部に取り付けられて前記パネルに巻き付けられる帯状のパネル落下防止部材と、
を備え、前記吸着パッドに吸着保持したパネルを接地面から浮かして立てた状態に保持可能なパネル保持装置であって、
前記パネル落下防止部材は、前記吸着パッドが非作動の状態において、前記パネルの表面に対して生じる摩擦力で該パネルが引っ掛かって落下を防止することを可能とする材質からなることを特徴とするパネル保持装置。
【請求項４】
前記パネル落下防止部材は、樹脂製の気泡緩衝材を帯状に形成してなるものであることを特徴とする請求項３に記載のパネル保持装置。
【発明の詳細な説明】
【技術分野】
【０００１】
本発明は、建材パネル等のパネルを立てた状態で運搬する際などに用いて好適なパネルの保持方法および保持装置に関する。
【背景技術】
【０００２】
建築物の内装あるいは外装にパネルを用いる場合がある。建築用パネルとしては、近年、断熱材からなる芯材を鋼板等の金属板で挟み込んだ金属サンドイッチ断熱パネルが普及しており、特に大型冷凍・冷蔵倉庫や工場棟の外壁材や内壁材あるいは間仕切りなどに需要が増加している。
【０００３】
この種のパネルで壁等を施工するにあたっては、労力やコストの削減を図るために走行車両でパネルを運搬し、据え付けることが行われている。その場合、パネルは真空チャック式等の吸着パッドに吸着保持されて運搬されるが、真空抜けなど万一不具合が生じてもパネルの落下を防止する安全のための手段が設けられている。例えば特許文献１では、立てた状態のパネル（内装材）の下方にパネルを受ける支持部材を設けている。
【先行技術文献】
【特許文献】
【０００４】
【特許文献１】特開平８−２８２９８９号公報
【発明の概要】
【発明が解決しようとする課題】
【０００５】
上記のような支持部材を設けることはいわば必要不可欠とは言え、駆動機構で可動部材を駆動する構成のため、部品数や重量の増大を招くという問題があった。
【０００６】
本発明は上記事情に鑑みてなされたものであって、簡素で軽量なパネル落下防止のための手段を提供することにある。
【課題を解決するための手段】
【０００７】
本発明のパネルの保持方法は、パネルを吸着保持する真空チャック式の吸着パッドと、前記吸着パッドが取り付けられた本体部とを備えたパネル保持手段を用いて、パネルを接地面から浮かして立てた状態に保持するにあたり、前記吸着パッドが非作動の状態において、前記パネルの表面に対して生じる摩擦力で該パネルが引っ掛かって落下を防止することを可能とする材質からなる帯状のパネル落下防止部材を、前記本体部から前記吸着パッドに吸着保持したパネルにわたって巻き付けることを特徴とする。
【０００８】
また、本発明のパネル保持装置は、パネルを吸着保持する真空チャック式の吸着パッドと、前記吸着パッドが取り付けられた本体部と、を備えたパネル保持手段と、前記パネル保持手段の前記本体部に取り付けられて前記パネルに巻き付けられる帯状のパネル落下防止部材と、を備え、前記吸着パッドに吸着保持したパネルを接地面から浮かして立てた状態に保持可能なパネル保持装置であって、前記パネル落下防止部材は、前記吸着パッドが非作動の状態において、前記パネルの表面に対して生じる摩擦力で該パネルが引っ掛かって落下を防止することを可能とする材質からなることを特徴とする。
【０００９】
本発明の前記パネル落下防止部材は、樹脂製の気泡緩衝材を帯状に形成してなるものである形態を含む。
【発明の効果】
【００１０】
本発明によれば、パネル落下防止を簡素かつ軽量な手段で実施することができるといった効果を奏する。
【図面の簡単な説明】
【００１１】
【図１】本発明の一実施形態に係るパネル保持装置でパネルを保持している状態を示す図であって、パネルの背面側の図である。
【図２】図１の状態の側面図である。
【図３】図１の状態のパネルの表面側を示す図である。
【図４】パネルの横断面図である。
【発明を実施するための形態】
【００１２】
以下、図面を参照して本発明の一実施形態を説明する。
図１〜図３は、一実施形態のパネル保持装置Ｓでパネル１を保持している状態を示している。パネル保持装置Ｓは、パネルリフター（パネル保持手段）２と、パネルリフター２に設けられたベルト（パネル落下防止部材）３とから構成される。パネルリフター２は真空チャック式の複数の吸着パッド２３でパネル１を吸着保持するもので、クレーンやフォークリフト等に吊り下げて用いられる。はじめに、パネル１およびパネルリフター２を説明する。
【００１３】
［１］パネル
パネル１は、例えば各種倉庫や工場等の建築物の内装、外装あるいは間仕切り等に用いられる長方形状の建材パネルであり、例えば幅が９００ｍｍ程度、長さが５〜１２ｍ、厚さが５０〜２００ｍｍ程度のものである。パネル１は、図４に示すように例えば断熱材からなる芯材１１を鋼板等からなる２枚の面材１２で挟み込んだ金属サンドイッチパネルである。本発明でのパネルはこれに限定されず、例えば遮音性の高い建材パネル等も対象であるが、表面を構成する面材が吸着パッド２３に対して吸着する材質であるものが条件となる。
【００１４】
［２］パネルリフター
図１に示すように、パネルリフター２は、本体部２７と、複数の吸着パッド２３を備えている。本体部２７は、中央のベース２２と、ベース２２に固定された上下一対のフレーム２１と、フレーム２１の表面に固定された略多角形状のハンドル２６とから構成されている。ベース２２は真空ポンプを内蔵している。
【００１５】
本体部２７のフレーム２１は放射状に延びる左右一対のアーム部２１ａを有し、各アーム部２１ａの裏面側に、パネル１を吸着保持する円盤状の吸着パッド２３がそれぞれ固定されている。アーム部２１ａは全部で４つあり、したがって吸着パッド２３は計４つ設けられている。各吸着パッド２３には上記真空ポンプに連通する図示せぬ真空吸引ホースが接続されており、真空ポンプが運転されると吸着パッド２３の吸着面に負圧が発生する。
【００１６】
ベース２２には上方に延びるリフトバー２４が回転プレート２５を介して回転可能に支持されている。リフトバー２４の先端にはフック２４ａが設けられており、パネルリフター２はこのフック２４ａを利用してクレーン等に吊り下げられる。パネル１を吸着保持する際は、ハンドル２６によって吸着パッド２３をパネル１の片面に合わせてから真空ポンプを運転し、パネルリフター２を吊り下げることでパネル１は立てた状態に保持され、パネル１の運搬および据え付けが行われる。なお、パネルリフター２は本発明のパネル保持手段の一例であり、本発明のパネル保持手段はこのパネルリフター２に限定されない。
【００１７】
［３］ベルト
ベルト３は、パネルリフター２の本体部２７から吸着パッド２３に吸着保持したパネル１にわたって巻き付けられ、パネル１の落下を防止するものである。図１に示すように、ベルト３は、パネルリフター２の本体部２７のベース２２における一方の側部に設けた係止部２８に一端部が係止されることで、パネルリフター２に付属して設けられる。そして本体部２７のベース２２の他方の側部には、ベルト締め付け部２９が設けられている。
【００１８】
係止部２８およびベルト締め付け部２９はベース２２ではなく、可能であれば他の本体部２７の部分であるフレーム２１やハンドル２６に設けられてもよい。また、係止部２８およびベルト締め付け部２９の取付け位置は、ベルト３をパネル１に巻き付けることができる位置であれば任意であり、必要に応じて変更される。
【００１９】
本実施形態のパネル保持装置Ｓにおいては、パネルリフター２の吸着パッド２３にパネル１を吸着保持し、フック２４ａを利用してクレーン等に吊り下げることで、パネル１をフロア（接地面）から浮かして立てた状態に保持される。この状態でパネル１はパネルリフター２ごとクレーン等によって運搬することができる。ここで、パネル１を運搬する前に、図１〜図３に示すようにベルト３を本体部２７からパネル１にわたって巻き付ける。
【００２０】
すなわち、一端部が本体部２７の係止部２８に係止されているベルト３をパネル１の表面側にまわしてパネル１の表面に密着させ、他端側をパネル１の背面側（吸着パッド２３が吸着している面側）に引っ張り、さらにベルト３を引っ張った状態を維持して他端部をベルト締め付け部２９に固定する。この状態でベルト３はパネル１の表面に強く密着してパネル１を本体部２７に締め付けられ、パネル１は吸着パッド２３に強く押さえ付けられる。
【００２１】
引っ張った状態を維持してベルト３を締め付け固定するベルト締め付け部２９の構成は任意である。例えば、衣装用のベルトのバックル機構を応用したものや、ラチェット機構を応用したもの、あるいはベース２２に設けたフックに単に結び付けるなどの構成が考えられる。
【００２２】
ベルト３は、吸着パッド２３が非作動のときであっても、パネル１の表面に対して生じる摩擦力でパネル１が引っ掛かって落下を防止することができる材質からなるもので、弾性を有し、かつ十分な強度を有する材料を帯状に形成してなるものが用いられる。また、大きな摩擦力を得る上で、幅は可能な限り大きいものがよい。具体的には、ゴムや合成樹脂等から作製された断面扁平状のロープ等が好適である。また、梱包資材として用いられる比較的厚さの大きな合成樹脂（ポリエチレン）製の気泡緩衝材を何重にも丸めて帯状に加工したものは、パネル１の表面への吸着性を有し大きな摩擦力を得られる点で好ましく用いられる。
【００２３】
［４］ベルトの作用およびそれに伴う効果
パネルリフター２の吸着パッド２３でパネル１を吸着保持している際に、何らかの原因で真空が抜ける、あるいは真空運転が停止するなどの状況が発生すると、パネル１は吸着パッド２３により保持されなくなり重力で落下する。しかし、このように吸着パッド２３に真空ダウンの状態が発生しても、本実施形態ではベルト３がパネル１を保持することでパネル１の落下が防止される。すなわちパネル１はベルト３と吸着パッド２３との間に強く挟まれており、摩擦力によってパネル１がベルト３に引っ掛かって落下が阻止される。
【００２４】
本実施形態によれば、上記のようにベルト３によってパネル１の落下が防止されて安全が確保される。ベルト３は簡素であり、また、軽量な材料で作製することができ、駆動機構等を含めた機械的な部品構成を必要とすることがない。このため、従来よりコストの増大を招くことがない。
【００２５】
また、落下を阻止している状態で吸着パッド２３はパネル１を吸着していないものの、ベルト３に締め付けられたパネル１は吸着パッドに強く密着している。このため、吸着パッド２３の真空運転を復活させることができた場合、真空運転を再開すると、パネル１は再び吸着パッド２３で吸着保持される。このため、真空運転の復活後において作業が停滞することがなく、労力も必要としないという利点がある。
【００２６】
［５］他の形態
上記パネル保持装置Ｓは、本発明の保持方法を好適に実施し得る装置である。本発明のパネルの保持方法は、上記ベルト３のようなパネル落下防止部材をパネルに巻き付けて万一の落下を防止するものである。パネル落下防止部材は、上記パネル保持装置Ｓのようにパネル保持手段の本体部（パネルリフター２の本体部２７）に取り付けられていてもよいが、パネル保持手段とは別体で、使用時に本体部とパネルに巻き付けて使用するようにしてもよい。
【産業上の利用可能性】
【００２７】
本発明は、壁パネル等のパネルを運搬して所定箇所に据え付ける施工を行うにあたって好適に用いられる。
【符号の説明】
【００２８】
１…パネル
２…パネルリフター（パネル保持手段）
３…ベルト（パネル落下防止部材）
２３…吸着パッド
２７…本体部
Ｓ…パネル保持装置
【図１】
2018172905.tif 000003
【図２】
2018172905.tif 000004
【図３】
2018172905.tif 000005
【図４】
2018172905.tif 000006